(57)【要約】【課題】端子部が挟着し難い形状、寸法であったとしても、十分な挟着力、挟着性を確保できるばかりでなく、挟着した状態で振動、衝撃が加わったとしても容易には脱落することがない鰐口クリップを提供する。【解決手段】機器の端子部３０に接する導電性の歯部２ａ、１１ａを先端側に備え、且つ回動軸１５によって開閉自在に連結された一対の挟着片２、１０と、を有した鰐口クリップ１であって、少なくとも一方の挟着片の先端側は少なくとも２つの分岐片１１、１２を備えると共に各分岐片は夫々歯部を備え、一方の挟着片の歯部と他方の挟着片の歯部との協働によって端子部外周の少なくとも三箇所に挟着可能に構成した。【選択図】図１
2009026663.tif 000002
【特許請求の範囲】
【請求項１】
機器の端子部に接する導電性の歯部を先端側に備え、且つ回動軸によって開閉自在に連結された一対の挟着片と、該一対の挟着片の先端側を各歯部同士が近接する方向へ弾性付勢する弾性部材と、を有した鰐口クリップであって、
少なくとも一方の前記挟着片の先端側は少なくとも２つの分岐片を備えると共に各分岐片は夫々歯部を備え、
前記一方の挟着片の歯部と他方の前記挟着片の歯部との協働によって前記端子部外周の少なくとも三箇所に挟着可能に構成されたことを特徴とする鰐口クリップ。
【請求項２】
機器の端子部に接する導電性の歯部を先端側に備え、且つ回動軸によって開閉自在に連結された少なくとも３個の挟着片と、該各挟着片を各歯部同士が近接する方向へ弾性付勢する弾性部材と、を有した鰐口クリップであって、
前記各挟着片の歯部によって前記端子部外周の三箇所以上に挟着するように構成されたことを特徴とする鰐口クリップ。
【請求項３】
前記各挟着片の歯部を構成する先端部の歯は反っ歯状に前方へ突出していることを特徴とする請求項１又は２に記載の鰐口クリップ。
【請求項４】
前記歯部の少なくとも一部を磁石にて構成したことを特徴とする請求項１、２又は３に記載の鰐口クリップ。
【請求項５】
前記挟着片に磁石を固定することにより前記歯部を着磁したことを特徴とする請求項１、２又は３に記載の鰐口クリップ。
【請求項６】
請求項１乃至５の何れか一項に記載の鰐口クリップの前記挟着片に取り付けられる支持部材であって、該支持部材の一部を前記機器の一部により保持したことを特徴とする鰐口クリップの支持部材。
【発明の詳細な説明】
【技術分野】
【０００１】
本発明は各種機器の端子部に対して着脱される鰐口クリップの改良に関し、特に端子部が挟着し難く、脱落し易い形状、寸法である場合であっても、十分な挟着力を確保することができる構造を備えた鰐口クリップ、及びその支持部材に関する。
【背景技術】
【０００２】
測定装置を用いて電子装置、電気装置、機械装置等の各種機器の特定部位に流れる電流、電圧を測定する際には、測定装置から延びるリード線の先端に設けた鰐口クリップを各種装置の端子部に挟んで取り付けた状態で測定が行われる。
図６（ａ）（ｂ）及び（ｃ）は従来の鰐口クリップの外観斜視図、鰐口クリップにより端子部を挟着している状態を示す図、及び端子部に歯部が挟着している状態を示す略図である。
鰐口クリップ１００は、ブレーカ等の測定対象機器１１０に設けた端子部１１１に接する導電性の歯部１０２を先端側に備え、且つ回動軸１０３により互いに開閉自在に連結された一対の挟着片１０１と、一対の挟着片を各歯部同士が近接する方向へ弾性付勢する図示しない弾性部材と、歯部１０２と電気的に接続され且つ図示しない測定装置本体と接続されたケーブル１０４と、を有している。
測定対象機器１１０は取付け板１１５に対してネジ止め固定されている。端子部１１１はボルトとナットからなり、端子部１１１を機器１１０側の電極に設けたネジ穴に挿入して締結することにより配線ケーブル１２０の導線を機器１１０の電極に接続固定している。
【０００３】
被挟着対象物としての端子部１１１が十分大きな頭部形状を有した六角ボルト、ナットであったり、歯部１０２を引っ掛け易い凹部や凸部を有している場合には、鰐口クリップ１００を用いた挟着が可能となる。しかし、図６（ｃ）に示すように被挟着端子部１１１が過小であったり、丸ビスのように滑りやすい半球形状であったり、或いは鰐口クリップの歯部１０２を引っ掛ける凹部や凸部が存在しない場合には、鰐口クリップを正しく装着することができないことがある。また、一旦鰐口クリップを取り付けたとしても、周囲に振動、衝撃を生成するプレス機等の機械装置等がある場合には、端子部に伝搬する振動、衝撃によって鰐口クリップは容易に外れることとなる。
このような不具合は、従来の鰐口クリップが例外なく、図６（ｃ）に示すように対向する２つの挟着片に夫々設けた歯部１０２によって被挟着端子部１１１の外周面の二箇所を１８０度の周方向間隔で挟着しているに過ぎないために、挟着力、挟着箇所数が不足していることに原因があると考えられる。仮に弾性部材により挟圧力を増強させたとしても歯部と被挟着端子部との接触点数が過少であり、且つ各歯部間の周方向間隔が１８０度に過ぎないため歯先が歯部の無い方向へ滑り易く、挟着性を向上させることはできない。
【０００４】
従来、鰐口クリップの脱落を防止するために絶縁テープ等を挟着片と端子部周辺との間に接着することも行われているが、端子部の構造や、端子部周辺の構造（狭所である等）によっては絶縁テープを接着するスペースを確保できなかったり、接着作業自体ができなくなることが多々あった。また、絶縁テープを貼る作業自体が煩雑であるばかりでなく、一旦接着しても剥離し易いという不具合があった。また、測定作業を外部業者が行う場合には、顧客が所有する機器に粘着力が強力な絶縁テープを貼り付けることにより端子部周辺を粘着剤により汚損する虞もある。
また、電気設備における電流、電圧の変化を長期間にわたって測定し続ける場合には鰐口クリップを端子部に継続的に安定して挟着しておく必要があるが、従来の鰐口クリップや、絶縁テープ等を用いた補強方法では脱落することが多々あった。
いずれにしても、鰐口クリップ単体の挟着力によって必要な期間だけ端子部に取り付くことができることが望ましい。
特許文献１乃至３には、夫々鰐口クリップが提案されているが、挟着しにくい構造を備えた端子部に対しても歯部を安定して係止できる構成例は一切開示されていない。
【特許文献１】特開平１０−０９５１９０号公報
【特許文献２】特開２００３−０３６９０５公報
【特許文献３】特開２００５−２９４０７１公報
【発明の開示】
【発明が解決しようとする課題】
【０００５】
以上のように鰐口クリップの歯部により挟着する対象物としての端子部は挟着し易い形状、寸法であるとは限らない。従って、鰐口クリップと接続された測定装置による測定が困難化することが多々ある。特に、従来の鰐口クリップは２つの挟着片によって端子部の対向する２つの部位を挟着するに過ぎないため、挟着力が不足し易く、また挟着しにくいばかりでなく僅かな振動、衝撃により脱落し易い。特に、鰐口クリップを端子部に長期間に亘って取り付けておく場合には継続的に安定して挟着する必要があるが、従来の鰐口クリップでは脱落することが多々あった。
本発明は上記に鑑みてなされたものであり、鰐口クリップの歯部により挟着する対象物としての端子部が挟着し難い形状、寸法であったとしても、十分な挟着力、挟着性を確保できるばかりでなく、挟着した状態で振動、衝撃が加わったとしても容易には脱落することがない鰐口クリップ、及びその支持部材を提供することを目的としている。
【課題を解決するための手段】
【０００６】
上記目的を達成するため、請求項１に係る鰐口クリップは、機器の端子部に接する導電性の歯部を先端側に備え、且つ回動軸によって開閉自在に連結された一対の挟着片と、該一対の挟着片の先端側を各歯部同士が近接する方向へ弾性付勢する弾性部材と、を有した鰐口クリップであって、少なくとも一方の前記挟着片の先端側は少なくとも２つの分岐片を備えると共に各分岐片は夫々歯部を備え、前記一方の挟着片の歯部と他方の前記挟着片の歯部との協働によって前記端子部外周の少なくとも三箇所に挟着可能に構成されたことを特徴とする。
２つの挟着片のうちの一方を二股に分岐した２つの分岐片から構成した場合には、挟着対象物としての端子部の外周に約１２０度の周方向間隔で３つの歯部を当接させることができるため、挟着性が高まり、脱落し難くなる。２つの挟着片に夫々２つの分岐部をもたせた場合には合計４つの歯部によって約９０度の周方向間隔で挟着することができ、更に挟着性を高めることができる。
【０００７】
請求項２の発明は、機器の端子部に接する導電性の歯部を先端側に備え、且つ回動軸によって開閉自在に連結された少なくとも３個の挟着片と、該各挟着片を各歯部同士が近接する方向へ弾性付勢する弾性部材と、を有した鰐口クリップであって、前記各挟着片の歯部によって前記端子部外周の三箇所以上に挟着するように構成されたことを特徴とする。
３個の挟着片を夫々内外径方向へ回動自在に軸支することにより、挟着対象物としての端子部の外周に約１２０度の周方向間隔で３つの歯部を当接させることができるため、挟着性が高まり、脱落し難くなる。また、４つの挟着片を個別に開閉自在に軸支した場合には合計４つの歯部によって約９０度の周方向間隔で挟着することができ、更に挟着性を高めることができる。
【０００８】
請求項３の発明は、請求項１又は２において、前記各挟着片の歯部を構成する先端部の歯は反っ歯状に前方へ突出していることを特徴とする。
突出長が小さい端子部を各挟着片の歯部で挟着させる場合、専ら先端部の歯によって端子部外周を係止することになるが、この先端部の歯を反っ歯状に斜め前方へ突出させることにより、僅かな凹所、凸部を利用して挟着することが可能となる。
請求項４の発明は、請求項１、２又は３において、前記歯部の少なくとも一部を磁石にて構成したことを特徴とする。
端子部は鉄等の磁性体であることが多いため、歯部を磁石により構成することにより磁力による吸着力を併用して挟着力を高めることができる。
【０００９】
請求項５の発明は、請求項１、２又は３において、前記挟着片に磁石を固定することにより前記歯部を着磁したことを特徴とする。
歯部は薄板からなるベースの外周縁を切り起こすことによって形成されており、このベース部分は外装体を構成する絶縁部材の内側面に露出配置されている。そこで、挟着片の内側面に露出しているベース部分に磁石を固定しておくことにより歯部を着磁させることができる。
請求項６の発明に係る支持部材は、請求項１乃至５の何れか一項に記載の鰐口クリップの前記挟着片に取り付けられる支持部材であって、該支持部材の一部を前記機器の一部により保持したことを特徴とする。
鰐口クリップを長期間端子部に取り付けておく必要がある場合や、周辺環境によって振動、衝撃が加わる場合には、補助的な支持部材を用いて鰐口クリップの脱落を防止するのが好ましい。
【発明の効果】
【００１０】
本発明の鰐口クリップによれば、挟着対象となる端子部の外周面の３箇所以上を挟着するように３個以上の歯部を備えたので、安定した接続状態を長期間維持することができる。従って、端子部が挟着し難い形状、寸法であったとしても、十分な挟着力、挟着性を確保できるばかりでなく、挟着した状態で振動、衝撃が加わったとしても容易には脱落することがない。
また、端子部と接する歯部を斜め前方へ突出した反っ歯状にすることにより、挟む力を高めることができる。
更に、歯部を着磁することより磁性体からなる端子部に対する保持力を高めることができる。
【発明を実施するための最良の形態】
【００１１】
以下、本発明を図面に示した実施の形態により詳細に説明する。
図１（ａ）（ｂ）及び（ｃ）は本発明の一実施形態に係る鰐口クリップの開放状態を示す外観斜視図、先端面の説明図、及び被挟着端子部に歯部が挟着した状態を示す略図である。
鰐口クリップ１は、ブレーカ等の被測定対象機器に設けられた端子部（被挟着端子部）３０に接する導電性の歯部を先端側に備え、且つ回動軸１５により互いに開閉自在に連結された一対の挟着片２、１０と、一対の挟着片２、１０を各歯部同士が近接する方向へ弾性付勢する弾性部材１６と、を有している。各挟着片２、１０の後端側は、絶縁体からなる把持部２Ａ、１０Ａとなっている。
一方の挟着片２は、その先端部下面、その他の下面外周部位に複数の歯からなる歯部２ａを有している。
他方の挟着片１０は、先端部が二股に分岐した構成を備えており、各分岐片１１、１２の先端部上面、その他の上面の外周部位に夫々複数の歯からなる歯部１１ａ、１２ａを有している。
【００１２】
挟着片１０の後部には各歯部２ａ、１１ａ、１２ａと導通するケーブル１７が接続され、このケーブル１７は図示しない測定装置に接続されている。
本発明の鰐口クリップにより端子部３０を挟着する場合には、図１（ｃ）に示すように端子部３０の頭部が小径（直径数ｍｍ）の丸ビスであったとしても、端子部３０の外周面三箇所を１２０度間隔で３つの歯部２ａ、１１ａ、１２ａにより三方向から同時に挟着することができるため、挟着保持力が大幅に向上して挟着し易くなり、一旦挟着した後の振動、衝撃による脱落も防止することができる。
【００１３】
次に、図２（ａ）（ｂ）及び（ｃ）は本発明の他の実施形態に係る鰐口クリップを開放した状態を示す斜視図、先端部の説明図、及び端子部に歯部が挟着した状態を示す略図である。
本実施形態に係る鰐口クリップ２０は、ブレーカ等の機器に設けられた端子部３０に接する導電性の歯部２１ａ、２２ａ、２３ａを先端側に備え、且つ２つの回動軸２４ａ、２４ｂにより夫々個別に開閉自在に連結された３個の挟着片２１、２２、２３と、各挟着片２１、２２、２３を各歯部同士が近接する方向へ弾性付勢する弾性部材２５、２６と、を有している。各挟着片２１、２２、２３の後端側は、絶縁体からなる把持部２１Ａ、２２Ａ、２３Ａとなっている。
挟着片２１の後部には各歯部２１ａ、２２ａ、２３ａと導通するケーブル２７が接続され、このケーブル２７は図示しない測定装置に接続されている。
この例では、第１の挟着片２１の両側方から斜め上方に突出した軸受部材２８ａ、２８ｂと、第１の挟着片２１の上面から上方に突設した軸受部材２９により夫々所定の角度にて軸支した２つの回動軸２４ａ、２４ｂにより夫々第２、第３の挟着片２２、２３を異方向へ回動自在に支持しており、各挟着片の歯部２１ａ、２２ａ、２３ａは１２０度の周方向間隔で端子部３０に挟着することとなる。
従って、従来のように２群の歯部を１８０度間隔で対向配置したに過ぎない挟着構造と比べて、挟着箇所が増えるために挟着し易くなるばかりでなく、抜け落ちが発生し難くなる。
【００１４】
このように本実施形態の鰐口クリップにより端子部３０を挟着する場合には、図２（ｃ）に示すように端子部３０の頭部が小径の丸ビスであったとしても、端子部３０の外周面の三箇所を３つの歯部２１ａ、２２ａ、２３ａにより三方向から同時に挟着することができるため、挟着力が大幅に向上して挟着し易くなり、一旦挟着した後の振動、衝撃による脱落も防止することができる。
なお、各挟持片の先端部を開放させるために各把持部２１Ａ、２２Ａ、２３Ａを作業者の指によって挟圧する際に、第２、第３の挟着片２２、２３の各把持部２２Ａ、２３Ａを一括して挟圧できるように一方の把持部２２Ａから他方の把持部２３Ａの上面に向けて張出し片を突出させておくのが好ましい。
【００１５】
次に、図３は本発明の他の実施形態に係る鰐口クリップの要部構成を示す説明図であり、この鰐口クリップ１（２０）は各挟着片２、１０（２１、２２、２３）の先端に位置する歯部２ａ、１０ａ（２１ａ、２２ａ、２３ａ）を反っ歯状に斜め前方へ突出させた構成が特徴的である。
このように先端に位置する歯部が反っ歯状に突出しているため、被挟着端子部３０としてのビスの頭部と、機器３５の面との間に僅かな凹所、或いは小凸部があれば、この部位に歯部の先端を引っ掛けて係止することができる。
【００１６】
次に、図４（ａ）及び（ｂ）は本発明の他の実施形態に係る鰐口クリップの構成を示す正面図、及びＢ−Ｂ断面図である。
この実施形態に係る鰐口クリップ４０は、歯部４１ａ、４２ａを有した２個以上の挟着片４１、４２を軸部４３によって開閉自在に軸支すると共に、弾性部材によって各挟着片の先端部が接近する方向へ弾性付勢した構成を有している。挟着片は図１、或いは図２の各実施形態のように構成したものであっても良いし、従来のように２つの挟着片を開閉自在に構成したものであってもよい。
本発明の鰐口クリップの特徴的な構成は、歯部の少なくとも一部を磁石にて構成するか、或いは挟着片に磁石を固定することにより歯部を着磁した点にある。
図４の例は、両挟着片４１、４２の内面に夫々異極同士が対向するように磁石４５を固定することにより、各磁石４５によって各歯部４１ａ、４２ａを着磁させたものである。
挟着対象物としての端子部は鉄等の磁性体であることが多いため、歯部を磁石により構成するか、或いは着磁することにより磁力による吸着力を併用して挟着力を高めることができる。
歯部４１ａ、４２ａは薄板からなるベースの外周縁を切り起こすことによって形成されており、このベース部分は各挟着片の内面に露出配置されている。そこで、挟着片の内側面に露出しているベース部分に磁石を固定しておくことにより歯部を着磁させることができる。
【００１７】
次に、図５は鰐口クリップを長期間端子部に挟着する場合に鰐口クリップの脱落を防止するために使用する支持治具を示している。
この支持治具５０は、Ｌ字状の支持部材５１からなり、鰐口クリップ１の適所、この例では挟着片１０の適所（この例では把持部）に支持部材５１の一端部を着脱自在に取り付けると共に、この支持部材５１の他端部に設けた吸盤（仮固定部材）５２を、ブレーカ６０を支持する支持板６１の面に吸着させることによって鰐口クリップ１の脱落を防止するようにしている。
仮固定部材５２としては吸盤以外の手段、例えば両面テープ、マジックテープ（登録商標）等を使用してもよい。
【図面の簡単な説明】
【００１８】
【図１】（ａ）（ｂ）及び（ｃ）は本発明の一実施形態に係る鰐口クリップの開放状態を示す外観斜視図、先端面の説明図、及び被挟着端子部に歯部が挟着した状態を示す略図である。
【図２】（ａ）（ｂ）及び（ｃ）は本発明の他の実施形態に係る鰐口クリップを開放した状態を示す斜視図、Ａ−Ａ断面図、及び端子部に歯部が挟着した状態を示す略図である。
【図３】本発明の他の実施形態に係る鰐口クリップの要部構成を示す説明図である。
【図４】（ａ）及び（ｂ）は本発明の他の実施形態に係る鰐口クリップの構成を示す正面図、及びＢ−Ｂ断面図である。
【図５】鰐口クリップの脱落を防止するために使用する支持治具を示す概略図である。
【図６】（ａ）（ｂ）及び（ｃ）は従来の鰐口クリップの外観斜視図、鰐口クリップにより端子部を挟着している状態を示す図、及び端子部に歯部が挟着している状態を示す略図である。
【符号の説明】
【００１９】
１…鰐口クリップ、２、１０…挟着片、２ａ…歯部、２Ａ…把持部、１０…挟着片、１０Ａ…把持部、１１…挟着片、１１、１２…分岐片、１１ａ…歯部、１５…回動軸、１６…弾性部材、１７…ケーブル、２０…鰐口クリップ、２１、２２、２３…挟着片、２１Ａ、２２Ａ、２３Ａ…把持部、２１ａ、２２ａ、２３ａ…歯部、２４ａ…回動軸、２５、２６…弾性部材、２７…ケーブル、２８ａ…軸受部材、２９…軸受部材、３０…端子部、３５…機器、４０…鰐口クリップ、４１、４２…挟着片、４１ａ…歯部、４３…軸部、４５…磁石、５０…支持治具、５１…支持部材、５２…仮固定部材、６０…ブレーカ、６１…支持板。
【図１】
2009026663.tif 000003
【図２】
2009026663.tif 000004
【図３】
2009026663.tif 000005
【図４】
2009026663.tif 000006
【図５】
2009026663.tif 000007
【図６】
2009026663.tif 000008